(57)【特許請求の範囲】
【請求項１】
防災関連用品を収納可能なベンチであって、
該ベンチは、
所定の間隔を存して立設される複数の脚部と、
複数の脚部間に支架される座板部と
を備える脚型ベンチであり、
脚部内に、防災関連用品であるジャッキの収納空間を有すると共に、
座板部内に、防災関連用品であるバールの収納空間を有する
ことを特徴とするベンチ。
【請求項２】
前記脚部の上端部に、着脱可能なキャップを備え、
該キャップは、
脚部の上端部に形成されるジャッキ出し入れ口を覆蓋すると共に、
座板部の左端部及び／又は右端部に形成されるバール出し入れ口を覆蓋し、
さらには、座板部の左端部及び／又は右端部を嵌合支持する
ことを特徴とする請求項１記載のベンチ。
【請求項３】
前記キャップは、
脚部内に収納されるジャッキを、吊り下げ金具を介して吊持する
ことを特徴とする請求項２記載のベンチ。
【請求項４】
前記キャップを脚部に固定するボルトと、
該ボルトを回し操作するレンチとを備え、
該レンチは、
座板部、脚部及び／又はキャップに形成されるレンチ収納部に取り出し可能に収納される
ことを特徴とする請求項２又は３記載のベンチ。
【発明の詳細な説明】
【技術分野】
【０００１】
本発明は、防災関連用品を収納可能なベンチに関し、特に、倒壊家屋の下敷きになった人を助け出す際に有用なバール及びジャッキを効率良く収納することができる脚型のベンチに関する。
【背景技術】
【０００２】
防災関連用品を収納可能なベンチが知られている（例えば、特許文献１、２参照）。この種のベンチに収納される防災関連用品としては、消火器、照明器具、医薬品、非常食、飲料水、毛布、スコップ、バール、ジャッキなどがある。この中でも、特に、バールとジャッキは、建設機械などを用いた本格的な救助活動の開始以前、主に近隣住民により行われる初期の救助活動において、倒壊家屋の下敷きになった人を助け出す際に極めて有用であるとの認識が広まっている。つまり、倒壊家屋の下敷きになった人を発見した場合には、まず、バールを用いて倒壊家屋の隙間を広げ、この隙間にジャッキをセットした後、倒壊家屋をジャッキアップすることにより、下敷きになった人の救出空間を作り出すことができる。
【特許文献１】特開平１１−２２５８５３号公報
【特許文献２】特開２００２−２３８６９９号公報
【発明の開示】
【発明が解決しようとする課題】
【０００３】
しかしながら、防災関連用品を収納可能な従来のベンチは、特許文献１、２に示されるように、容積的に大きい箱型のベンチであるため、コスト高になるだけでなく、設置場所が制限されるという問題がある。また、箱型のベンチは、その外観から収納機能が明らかになってしまうので、いたずらの対象になり易いという問題もあった。
【課題を解決するための手段】
【０００４】
本発明は、上記の如き実情に鑑みこれらの課題を解決することを目的として創作されたものであって、防災関連用品を収納可能なベンチであって、該ベンチは、所定の間隔を存して立設される複数の脚部と、複数の脚部間に支架される座板部とを備える脚型ベンチであり、脚部内に、防災関連用品であるジャッキの収納空間を有すると共に、座板部内に、防災関連用品であるバールの収納空間を有することを特徴とする。このようにすると、倒壊家屋の下敷きになった人を助け出す際に有用なバール及びジャッキを、容積的に小さい脚型のベンチに収納することができるので、防災関連用品を収納可能な箱型のベンチに比べて、コストダウンが図れるだけでなく、様々な場所に設置することが可能になる。また、脚型のベンチは、その外観から収納機能が明らかになることはないので、いたずらの対象になり難いという利点もある。また、バールは、脚部に比して長い座板部に収納するようにしたので、脚部に収納する場合に比して長尺なバールを収納することができる。さらに、ジャッキは、座板部に比して厚みのある脚部に収納するようにしたので、座板部にジャッキを収納する場合に比して無理なくジャッキを収納することができる。
また、前記脚部の上端部に、着脱可能なキャップを備え、該キャップは、脚部の上端部に形成されるジャッキ出し入れ口を覆蓋すると共に、座板部の左端部及び／又は右端部に形成されるバール出し入れ口を覆蓋し、さらには、座板部の左端部及び／又は右端部を嵌合支持することを特徴とする。このようにすると、キャップの多機能化によって、部品点数の削減及び構造の簡略化を図り、更なるコストダウンが可能となる。
また、前記キャップは、脚部内に収納されるジャッキを、吊り下げ金具を介して吊持することを特徴とする。このようにすると、脚部内に収納されたジャッキの取り出しが容易になる。
また、前記キャップを脚部に固定するボルトと、該ボルトを回し操作するレンチとを備え、該レンチは、座板部、脚部及び／又はキャップに形成されるレンチ収納部に取り出し可能に収納されることを特徴とする。このようにすると、災害発生時、わざわざレンチを取りに行かなくても、ベンチに収納されたレンチを使ってキャップを外すことができるので、速やかにバール及びジャッキを取り出すことができる。
【発明の効果】
【０００５】
以上のような本発明のベンチによれば、倒壊家屋の下敷きになった人を助け出す際に有用なバール及びジャッキを、容積的に小さい脚型のベンチに収納することができるので、防災関連用品を収納可能な箱型のベンチに比べて、コストダウンが図れるだけでなく、様々な場所に設置することが可能になる。また、脚型のベンチは、その外観から収納機能が明らかになることはないので、いたずらの対象になり難いという利点もある。
【発明を実施するための最良の形態】
【０００６】
次に、本発明の実施の形態について、図面に基づいて説明する。
【０００７】
図１〜図４において、１は防災関連用品を収納可能なベンチであって、該ベンチ１は、所定の間隔を存して立設される複数の脚部２と、複数の脚部２間に支架される座板部３とを備える脚型ベンチである。本実施形態では、高さ寸法Ｈが５５０ｍｍ、幅寸法Ｗが１２００ｍｍの一人掛けタイプ（図１の（Ａ）参照）と、高さ寸法Ｈが５５０ｍｍ、幅寸法Ｗが１８００ｍｍの二人掛けタイプ（図１の（Ｂ）参照）とを示すが、いずれも、奥行き寸法Ｄが１６４ｍｍの薄型タイプ（図１の（Ｃ）参照）であり、狭い路地でも設置が可能となっている。
【０００８】
図５〜図７に示すように、本発明のベンチ１は、脚部２内に、防災関連用品であるジャッキ４の収納空間Ｓ１を有すると共に、座板部３内に、防災関連用品であるバール５の収納空間Ｓ２を有する。例えば、図１の（Ａ）に示す一人掛けタイプのベンチ１では、左右いずれかの脚部２にジャッキ４を１基収納し、座板部３に１本のバール５を収納することができ、また、図１の（Ｂ）に示す二人掛けタイプのベンチ１では、左右の脚部２にそれぞれジャッキ４を１基ずつ収納し、座板部３に２本のバール５を収納することができるようになっている。
【０００９】
このようにすると、倒壊家屋の下敷きになった人を助け出す際に有用なバール５及びジャッキ４を、容積的に小さい脚型のベンチ１に収納することができるので、防災関連用品を収納可能な箱型のベンチに比べて、コストダウンが図れるだけでなく、様々な場所に設置することが可能になる。しかも、脚型のベンチ１は、その外観から収納機能が明らかになることはないので、いたずらの対象になり難いという利点もある。
【００１０】
また、バール５は、脚部２に比して長い座板部３に収納するようにしたので、脚部２に収納する場合に比して長尺なバール５を収納することができる。さらに、ジャッキ４は、座板部３に比して厚みのある脚部２に収納するようにしたので、座板部３にジャッキ４を収納する場合に比して無理なくジャッキ４を収納することができる。
【００１１】
本実施形態のベンチ１は、脚部２の上端部に、着脱可能なキャップ６を備えている。このキャップ６は、脚部２の上端部に形成されるジャッキ出し入れ口２ａを覆蓋すると共に、座板部３の左端部及び右端部に形成されるバール出し入れ口３ａを覆蓋し、さらには、座板部３の左端部及び右端部を嵌合支持するようになっている。このようにすると、キャップ６の多機能化によって、部品点数の削減及び構造の簡略化を図り、更なるコストダウンが可能となる。
【００１２】
また、キャップ６は、脚部２内に収納されるジャッキ４を、吊り下げ金具７を介して吊持することが好ましい。このようにすると、脚部２内に収納されたジャッキ４の取り出しが容易になる。
【００１３】
また、本実施形態のベンチ１は、キャップ６を脚部２に固定するボルト８と、該ボルトを回し操作するレンチ９とを備え、該レンチ９を、座板部３とキャップ６により形成されるレンチ収納部Ｓ３に取り出し可能に収納している。このようにすると、災害発生時、わざわざレンチ９を取りに行かなくても、ベンチ１に収納されたレンチ９を使ってキャップ６を外すことができるので、速やかにバール５及びジャッキ４を取り出すことができる。
【００１４】
次に、ベンチ１の各部について詳細に説明する。
【００１５】
脚部２は、例えば、金属板材を曲げ加工して形成される四角筒状の部材であり、下端部には、基礎１０に対して固定されるフランジ２ｂが形成されている。脚部２の内部は、ジャッキ４の収納空間Ｓ１となっており、脚部２の上端部に形成されるジャッキ出し入れ口２ａを介してジャッキ４の収納／取り出しが行われるようになっている。脚部２に収納されるジャッキ４としては、パンタグラフ式、油圧式など任意の方式を適用可能であるが、比較的コンパクトに収納することができる車両用パンタグラフ式ジャッキが好ましい。
【００１６】
座板部３は、例えば、アルミ形材３ｂに合成木材３ｃを固着して形成される。アルミ形材３ｂの内部には、バール５の平面形状に対応した側面視Ｌ字状の収納空間Ｓ２が形成されており、座板部３の左右両端部に形成されるバール出し入れ口３ａを介してバール５の収納／取り出しが行われるようになっている。座板部３に収納されるバール５としては、任意のサイズを適用可能であるが、可能な範囲で長尺なものが好ましい。例えば、図１の（Ａ）に示す一人掛けタイプのベンチ１では、長さ９００ｍｍのバール５を１本収納し、図１の（Ｂ）に示す二人掛けタイプのベンチ１では、長さ９００ｍｍのバール５を２本収納することができるようになっている。
【００１７】
キャップ６は、例えば、アルミ鋳物からなり、脚部２の上端部に着脱自在に装着される。キャップ６の下部には、脚部２のジャッキ出し入れ口２ａに嵌合（内嵌）する嵌合凸部６ａが形成され、キャップ６の一側部には、座板部３の左端部又は右端部と嵌合（外嵌）する嵌合凹部６ｂが形成されている。つまり、本実施形態のキャップ６は、ジャッキ出し入れ口２ａ及びバール出し入れ口３ａを覆蓋するだけでなく、座板部３の左端部及び右端部を嵌合支持する部材に兼用されている。
【００１８】
吊り下げ金具７は、例えば、金属板材を正面視凵字状に曲げ加工して形成されており、左右の上端部がキャップ６の内側にネジ止めされている。脚部２の収納空間Ｓ１に収納されるジャッキ４は、吊り下げ金具７を介してキャップ６で吊持されており、キャップ６を持ち上げることで、脚部２に収納されたジャッキ４を容易に取り出すことができるようになっている。
【００１９】
ボルト８は、脚部２の上端部にキャップ６を固定するための部材であり、六角穴付きボルトや蝶ボルトを用いることができる。例えば、いたずらされる惧れのない場所に設置されるベンチ１の場合は、レンチ９を用いることなく回し操作可能な蝶ボルトを用いることが好ましく、いたずらされる惧れのある場所に設置されるベンチ１の場合は、回し操作にレンチ９が必要となる六角穴付きボルトを用いることが好ましい。ちなみに、本実施形態では、４つのボルト８のうち、前側２つのボルト８を六角穴付きボルトとし、後側２つのボルト８を蝶ボルトとしている。
【００２０】
レンチ９は、ボルト（六角穴付きボルト）８を回し操作するための工具であり、前述したレンチ収納部Ｓ３に取り出し可能に収納される。本実施形態のレンチ収納部Ｓ３は、キャップ６内にあり、座板部３の下面前端部に形成される溝部３ｄに沿ってレンチ９が出し入れされるようになっている。
【００２１】
次に、ベンチ１におけるジャッキ４及びバール５の収納手順及び取り出し手順について説明する。
【００２２】
ベンチ１が分解された状態からジャッキ４及びバール５を収納する場合は、まず、箱に収められた状態のジャッキ４を、キャップ６に取付けられた吊り下げ金具７内に収める。次に、座板部３の左右端部に形成されるバール出し入れ口３ａからバール５を挿入し、座板部３の収納空間Ｓ２にバール５を収める。次に、座板部３の左右端部を左右のキャップ６に嵌合させた後、座板部３、ジャッキ４、バール５、キャップ６及び吊り下げ金具７を一体的に持ち上げ、脚部２の上端部に形成されるジャッキ出し入れ口２ａからジャッキ４を挿入し、脚部２の収納空間Ｓ１にジャッキ４を収める。このとき、キャップ６は、脚部２のジャッキ出し入れ口２ａを覆蓋すると共に、座板部３のバール出し入れ口３ａを覆蓋し、さらには、座板部３の左右両端部を嵌合支持することになる。次に、キャップ６を４つのボルト８で脚部２に固定する。このとき使用されるレンチ９は、作業終了後、座板部３の溝部３ｄを介してキャップ６内のレンチ収納部Ｓ３に収める。以上でジャッキ４及びバール５の収納作業（ベンチ組立作業）が完了する。
【００２３】
一方、組立状態のベンチ１からジャッキ４及びバール５を取り出す場合は、まず、キャップ６のレンチ収納部Ｓ３に収納されたレンチ９を取り出し、このレンチ９を使ってボルト８を外す。次に、座板部３、ジャッキ４、バール５、キャップ６及び吊り下げ金具７を一体的に持ち上げ、脚部２内からジャッキ４を取り出す。次に、座板部３の両端部とキャップ６の嵌合を解除し、座板部３内からバール５を取り出す。以上でジャッキ４及びバール５の取り出し作業（ベンチ分解作業）が完了する。
【００２４】
叙述の如く構成された本実施形態によれば、防災関連用品を収納可能なベンチ１であって、該ベンチ１は、所定の間隔を存して立設される複数の脚部２と、複数の脚部２間に支架される座板部３とを備える脚型ベンチであり、脚部２内に、防災関連用品であるジャッキ４の収納空間Ｓ１を有すると共に、座板部３内に、防災関連用品であるバール５の収納空間Ｓ２を有するので、倒壊家屋の下敷きになった人を助け出す際に有用なバール５及びジャッキ４を、容積的に小さい脚型のベンチに収納することが可能となり、その結果、防災関連用品を収納可能な箱型のベンチに比べて、コストダウンが図れるだけでなく、様々な場所に設置することができる。しかも、脚型のベンチは、その外観から収納機能が明らかになることはないので、いたずらの対象になり難いという利点もある。
【００２５】
また、脚部２の上端部に、着脱可能なキャップ６を備え、該キャップ６は、脚部２の上端部に形成されるジャッキ出し入れ口２ａを覆蓋すると共に、座板部３の左右端部に形成されるバール出し入れ口３ａを覆蓋し、さらには、座板部３の左右端部を嵌合支持するので、キャップ６の多機能化によって、部品点数の削減及び構造の簡略化を図り、更なるコストダウンが可能となる。
【００２６】
また、キャップ６は、脚部２内に収納されるジャッキ４を、吊り下げ金具７を介して吊持するので、脚部２内に収納されたジャッキ４の取り出しが容易になる。
【００２７】
また、キャップ６を脚部２に固定するボルト８と、該ボルト８を回し操作するレンチ９とを備え、該レンチ９は、キャップ６内に形成されるレンチ収納部Ｓ３に取り出し可能に収納されるので、災害発生時、わざわざレンチ９を取りに行かなくても、ベンチ１に収納されたレンチ９を使ってキャップ６を外し、速やかにバール５及びジャッキ４を取り出すことができる。
【図面の簡単な説明】
【００２８】
【図１】（Ａ）はベンチ（一人掛けタイプ）の使用状態を示す正面図、（Ｂ）はベンチ（二人掛けタイプ）の使用状態を示す正面図、（Ｃ）はベンチの使用状態を示す側面図である。
【図２】ベンチの平面図である。
【図３】ベンチの正面図である。
【図４】ベンチの側面図である。
【図５】一部を断面にしたベンチの部分正面図である。
【図６】一部を断面にしたベンチの側面図である。
【図７】ベンチの要部分解斜視図である。
【符号の説明】
【００２９】
１    ベンチ
２    脚部
２ａ  ジャッキ出し入れ口
２ｂ  フランジ
３    座板部
３ａ  バール出し入れ口
３ｂ  アルミ形材
３ｃ  合成木材
３ｄ  溝部
４    ジャッキ
５    バール
６    キャップ
６ａ  嵌合凸部
６ｂ  嵌合凹部
７    吊り下げ金具
８    ボルト
９    レンチ
１０  基礎
Ｓ１  収納空間
Ｓ２  収納空間
Ｓ３  レンチ収納部
【図１】
0004942615.tif 000002
【図２】
0004942615.tif 000003
【図３】
0004942615.tif 000004
【図４】
0004942615.tif 000005
【図５】
0004942615.tif 000006
【図６】
0004942615.tif 000007
【図７】
0004942615.tif 000008